(57)【要約】      （修正有）【課題】過去の病歴との因果関係を知り、また主治医の情報を知ることができるようにする。  【解決手段】本医療情報システムはICタグ９と前記ICタグ９の情報を読み取るICタグリーダ７を有し、前記ICタグリーダ７で読み取ったICタグ情報を受信し当該受信したICタグ情報を基に医療情報の収集を行い、それを表示部５で表示できる通信端末装置２を救急車に備え、前記ICタグ情報を救急車の向かっている病院の通信端末装置２に送るようにしたこと。【選択図】図１
2005148921.tif 000002
【特許請求の範囲】
【請求項１】
複数のICタグと前記ICタグの情報を読み取るICタグリーダと前記ICタグリーダと１対１の通信を行い前記ICタグリーダで読み取ったICタグ情報を受信し当該受信したICタグ情報を基に医療情報の収集を行う通信端末装置を複数備えた医療情報システムであって、
前記複数の通信端末装置は互いに通信を行い情報の送受が可能であって、前記ICタグ情報を受信した通信端末装置は当該ICタグ情報を基に他の通信端末装置と通信を行い医療情報を他の通信端末装置から受信し、当該通信端末装置の表示手段に表示を行い、当該通信端末装置は前記受信した医療情報を特定の通信端末装置へ送信することを特徴とする医療情報システム。
【発明の詳細な説明】
【技術分野】
【０００１】
本発明は、ICタグを用いて個人の医療情報を管理する医療情報システムに関するものである。
【背景技術】
【０００２】
現在、病気等で病院へ通院することを国民の大半の方が経験をしている。その際、保険証を持っていないと治療費が数倍にも膨れ上がったりする。また、色々な病気を持っている場合に、現在どのような薬を飲んでいるのか本人の記憶でしか分からない。
また、急病で病院に運ばれた場合などで本人の意識がない状態であると、過去にどのような病気にかかっているかやどのような薬を飲んでいるかなど全く分からず、医者の状況判断で治療を行うことになってしまう。
【発明の開示】
【発明が解決しようとする課題】
【０００３】
このため、過去の病気との因果関係等をその場で知ることができないという問題があった。
更には、患者にかかりつけの主治医がいる場合には、治療を行う前に患者の治療法の相談を持つ必要があるにもかかわらず、その手段がとれず治療を行う事になってしまい合併症等を引き起こしてしまう問題がある。
【課題を解決するための手段】
【０００４】
本発明は、複数のICタグと前記ICタグの情報を読み取るICタグリーダと前記ICタグリーダと１対１の通信を行い前記ICタグリーダで読み取ったICタグ情報を受信し当該受信したICタグ情報を基に医療情報の収集を行う通信端末装置を複数備えた医療情報システムであって、前記複数の通信端末装置は互いに通信を行い情報の送受が可能であって、前記ICタグ情報を受信した通信端末装置は当該ICタグ情報を基に他の通信端末装置と通信を行い医療情報を他の通信端末装置から受信し、当該通信端末装置の表示手段に表示を行い、当該通信端末装置は前記受信した医療情報を特定の通信端末装置へ送信することを特徴とする医療情報システムを提案することで過去の病歴等を閲覧可能とする。
【発明の効果】
【０００５】
本発明によれば、現在や過去における患者の病歴や過去から現在まで飲んでいる薬の履歴等が分かるために、過去にかかった病気と現在の病気の因果関係を知ることができ、初めて当該患者を担当する医者であっても適切な判断を下し治療が行える。また、薬の履歴を知ることができるため、患者に対して適切な薬を与えることが可能となる。
また、患者が外出中に急病で倒れた場合であっても、主治医の連絡先など現在かかり付けの医者の情報も分かるため、緊急時であっても主治医と連絡を取ることで速やかな対応が可能となる。
また、患者の医療情報は病院の受付窓口だけでしか更新できないため、外部の者から簡単に書き換えられたりすることが無いため信頼できる情報として扱うことができる。
【発明を実施するための最良の形態】
【０００６】
本実施例では、患者が外出中に倒れて救急車で運ばれる場合についてシステムの説明をする。
【実施例１】
【０００７】
図１は、本発明のシステムの概略図を示す。本システムは、救急車１、救急車の中に設置されている通信端末装置２、ICタグリーダ７、患者の搬送先の病院１０、搬送先の病院に設置されている通信端末装置１１、搬送先の病院に設置されているICタグリーダ１６、主治医の病院１７、主治医の病院に設置されている通信端末装置１８、主治医の病院に設置されているICタグリーダ２３、患者８、ICタグ９で構成されている。
ここで、救急車１及び患者の搬送先の病院１０及び主治医の病院１１に設置されている通信端末装置は同じ機能を果たすものであり、ICタグリーダは同じものであるとする。
【０００８】
まず、システムの流れについて説明する前に、患者の医療情報及び情報の登録に関して説明を行う。
各病院では、患者が病気等で病院に診察に来ると、診察後に今回診察した情報を受付窓口にて患者の医療情報の更新を行う。この患者の医療情報には図２に示すように、「保険証番号」、「保険証の有効期限」、「患者の氏名」、「患者の連絡先」、「主治医の氏名」、「主治医の連絡先」、「患者が過去にかかった病気の履歴」、「薬の履歴」、「患者のID番号」等が含まれている。
この患者の医療情報は、各病院の受付窓口でのみ書き換えが可能となっており、病院以外では簡単に書き換えは出来なくなっている。このため、患者の医療情報は確実な情報として扱うことが出来る。
各病院の受付窓口では、診察後に各患者に渡すICタグの内容、例えば患者のID番号を読み取り当該読み取ったID番号から通信端末装置に記憶されている当該患者の情報を呼び出し、通信端末装置に今回の診察の内容を追加することで更新を行う。患者が病院に初来院だった場合は、「保険証の番号」、「保険証の有効期限」、「患者のID番号」等も通信端末装置へ入力処理が行われ、当該患者のID番号が記憶されているICタグが渡される。
各病院では、各病院に備え付けられているICタグリーダで、各病院から患者に渡しているICタグの情報を読み取ることが可能であり、各病院に設置されている通信端末装置でICタグリーダから読み取った患者情報を基に、各病院の患者の医療情報を確認することを可能とすることで、初めて行く病院であっても過去に他の病院でどのような診察を受け、どのような薬を使用していたか確認することができる。
これにより、どのような場合に於いても、患者さんが携帯しているICタグの情報を読み取ることで通信端末装置から、当該患者に関する情報を即座に呼び出すことができ、いつどのような症状でどのような病院へ行っても医者が困惑することなく確実に治療が行える。
ここでは、患者が所有しているICタグの情報として患者のID番号が記憶されている場合について説明を行ったが、ICタグの中に直接医療情報が書き込まれていても構わない。
【０００９】
次に、図１のシステムを用いた一実施例を説明していく。本実施例は上述しているように、患者８が外出中に倒れて救急車１で運ばれる場合についてシステムの説明をしていく。この第１の実施例では患者８が所有しているICタグ９には、患者８のID番号が記憶されているものとして説明を行っていく。
【００１０】
図１のシステム構成図を用いて説明を行っていく。
まず、患者８が外出中に急病で倒れ、救急車１で運ばれる際に、救急車１の車中では救急隊員が患者８の携帯しているICタグ９をICタグリーダ７により内容読み取り作業を行う。ICタグリーダ７で読み取ったICタグ９の情報には、本実施例では患者８のID番号が登録されているものとする。
次に、ICタグリーダ７で読み取った情報である患者８のID番号を基に、救急車１に設置されている通信端末装置２を用いて当該患者８の医療情報を読みだし、通信端末装置２の表示部５に表示を行う。当該救急車１の救急隊員は、通信端末装置２の表示部５に表示されている内容を確認し応急処置をとる。また、通信端末装置２で読み出した患者８の医療情報は、現在救急車１で向かっている病院１０の通信端末装置１１へも当該通信装置２から送信される。これにより、救急車１が向かっている先の病院１０でも手術や治療等の準備をすることが可能である。
【００１１】
次に、先ほど通信端末装置２で呼び出した患者８の医療情報の中に主治医の情報がある場合には、主治医がいる病院１７に連絡をとり、主治医から当該患者８の病気の状態や治療法等を確認するため、通信端末装置２から自動的に主治医がいる病院１７へ、通信端末装置２が備えている通信部６により連絡を行うようにし、患者８の主治医より患者８の病気に関して適切な指示を受けることができ、救急車１内での処置や救急車が向かっている先の病院で確実な治療を受けることができる。通信手段としては、電話機能を用いても良いし、メール等でメッセージを送信しても良い。
【００１２】
また、患者８の医療情報には、保険証の番号と保険証の有効期限等が記載されているため、外出中に保険証を携帯していない場合に急病になったとしてもICタグ９を携帯することで医療情報を呼び出すことができ、保険証の代用が可能となる。
【００１３】
本実施例では、患者８の画像を医療情報へ登録はしていないが、画像も患者の医療情報として登録することも可能である。これにより、本人か否か確認することがで容易にでき当該患者の医療情報か否か判断が容易になる。
【００１４】
次に、第２の実施例について図１のシステム概要図を用いて説明を行っていく。第２の実施例に関しても、第１の実施例と同様に、患者８が外出中に倒れて救急車１で運ばれる場合についてシステムの説明をする。この第２の実施例では、患者８が所有しているICタグ９には患者８の医療情報が全て記憶されているものとし説明を行っていく。
【００１５】
まず、患者８が外出中に急病で倒れ、救急車１で運ばれる際に、救急車１の車中では救急隊員が患者８の携帯しているICタグをICタグリーダ７により患者８の医療情報の読み取り作業を行う。
次に、ICタグリーダ７で読み取った情報である患者８の医療情報をICタグリーダ７に接続されている通信端末装置２の表示部５に患者８の医療情報を表示する。当該救急車の救急隊員は、通信端末装置２の表示部５に表示されている内容を確認し応急処置をとる。また、ICタグリーダ７で読み出した患者８の医療情報は、現在救急車１で向かっている病院１０の通信端末装置１１へも当該医療情報を表示している通信装置装置２から送信される。これにより、救急車１が向かっている先の病院１０でも手術や治療等の準備をすることが可能である。
【００１６】
次に、先ほどICタグリーダ７で読み取った患者の医療情報の中に主治医の情報がある場合には、主治医のいる病院１７へ連絡をとり、主治医から当該患者８の病気の状態や治療法等を確認するため、通信端末装置２から自動的に主治医がいる病院１７へ通信部６により連絡を行うようにし、患者８の主治医より患者８の病気に関して適切な指示を受けることができ、救急車１内での処置や救急車１が向かっている先の病院で確実な治療を受けることができる。通信手段としては、電話機能を用いても良いし、メール等でメッセージを送信しても良い。
【００１７】
本発明によれば、現在や過去における患者の病歴や過去から現在まで飲んでいる薬の履歴等が分かるために、過去にかかった病気と現在の病気の因果関係を知ることができ、初めて当該患者を担当する医者であっても適切な判断を下し治療が行える。また、薬の履歴を知ることができるため、患者に対して適切な薬を与えることが可能となる。
また、患者が外出中に急病で倒れた場合であっても、主治医の連絡先など現在かかり付けの医者の情報も分かるため、緊急時であっても主治医と連絡を取ることで速やかな対応が可能となる。
また、患者の医療情報は病院の受付窓口だけでしか更新できないため、外部の者から簡単に書き換えられたりすることが無いため信頼できる情報として扱うことができる。
【産業上の利用可能性】
【００１８】
ICタグを用いて個人の医療情報を管理する医療情報システムの分野で利用される。
【図面の簡単な説明】
【００１９】
【図１】医療情報システムの概略を示す図
【図２】医療情報の一例
【符号の説明】
【００２０】
１    救急車
２    救急車に備えられている通信端末装置
７    救急車に備えられているICタグリーダ
８    患者
９    ICタグ
１０    搬送先の病院
１１    搬送先の病院に備えられている通信端末装置
１６    搬送先の病院に備えられているICタグリーダ
１７    主治医の病院
１８    主治医の病院に備えられている通信端末装置
２３    主治医の病院に備えられているICタグリーダ
【図１】
2005148921.tif 000003
【図２】
2005148921.tif 000004